(57)【特許請求の範囲】
【請求項１】
単一または複数の異なる機器種別情報が割り当てられた外部機器が有するＨＤＭＩ出力端子に接続可能な第１のＨＤＭＩ（High-Definition Multimedia Interface）入力端子と、
前記ＨＤＭＩ出力端子に接続可能な第２のＨＤＭＩ入力端子と、
前記第１のＨＤＭＩ入力端子に割り当てられた第１の物理アドレスと、前記第２のＨＤＭＩ入力端子に割り当てられた第２の物理アドレスとを記憶する第１の記憶手段と、
前記複数の異なる機器種別情報の優先順位を示す優先順位情報を記憶する第２の記憶手段と、
前記第１のＨＤＭＩ入力端子へ前記ＨＤＭＩ出力端子が接続された場合に前記外部機器から前記第１の物理アドレス及び前記機器種別情報を一対一で対応付けて受信し、前記第２のＨＤＭＩ入力端子へ前記ＨＤＭＩ出力端子が接続された場合に前記外部機器から前記第２の物理アドレス及び前記機器種別情報を一対一で対応付けて受信する受信手段と、
前記受信された第１または第２の物理アドレスのうち、複数の同一の第１または第２の物理アドレスが存在するか否かを判断する判断手段と、
前記複数の同一の第１または第２の物理アドレスが存在しないと判断された場合に、前記外部機器が接続されているＨＤＭＩ入力端子を識別する入力端子識別情報及び前記外部機器の単一の機器種別情報を対応付けて表示し、前記複数の同一の第１または第２の物理アドレスが存在すると判断された場合に、前記入力端子識別情報と、前記複数の異なる機器種別情報のうち、前記記憶された優先順位情報を基に選択された１つの機器種別情報とを対応付けて表示する表示手段と
を具備する電子機器。
【請求項２】
請求項１に記載の電子機器であって、
前記表示手段は、前記第１のＨＤＭＩ入力端子へ前記ＨＤＭＩ出力端子が接続された場合に、前記受信された第１の物理アドレスを基に表示した前記入力端子識別情報を、前記第２のＨＤＭＩ入力端子へ前記ＨＤＭＩ出力端子が接続された場合に、前記受信された第２の物理アドレスを基に更新して表示する
電子機器。
【請求項３】
請求項２に記載の電子機器であって、
前記受信手段は、前記外部機器の型名を示す型名情報を更に受信し、
前記表示手段は、前記機器種別情報及び入力端子識別情報と共に前記受信された型名情報を表示する
電子機器。
【請求項４】
ＨＤＭＩ（High-Definition Multimedia Interface）出力端子を有するソース機器と、第１のＨＤＭＩ入力端子及び第２のＨＤＭＩ入力端子を有するシンク機器とを具備する表示システムであって、
前記ソース機器は、
当該ソース機器の機器種別を示す単一または複数の異なる機器種別情報を記憶する第１の記憶手段と、
前記ＨＤＭＩ出力端子の、前記第１または第２のＨＤＭＩ入力端子への接続を検出する検出手段と、
前記ＨＤＭＩ出力端子の前記第１のＨＤＭＩ入力端子への接続が検出された場合に、前記第１のＨＤＭＩ入力端子に割り当てられた第１の物理アドレスを前記シンク機器から読み出し、前記ＨＤＭＩ出力端子の前記第２のＨＤＭＩ入力端子への接続が検出された場合に、前記第２のＨＤＭＩ入力端子に割り当てられた第２の物理アドレスを前記シンク機器から読み出す読み出し手段と、
前記読み出された第１または第２の物理アドレス及び前記機器種別情報を一対一で対応付けて前記ＨＤＭＩ出力端子を介して前記シンク機器へ送信する送信手段とを有し、
前記シンク機器は、
前記第１及び第２の物理アドレスを記憶する第２の記憶手段と、
前記複数の異なる機器種別情報の優先順位を示す優先順位情報を記憶する第３の記憶手段と、
前記送信された前記第１の物理アドレス及び前記機器種別情報を前記第１のＨＤＭＩ入力端子を介して受信し、前記送信された前記第２の物理アドレス及び前記機器種別情報を前記第２のＨＤＭＩ入力端子を介して受信する受信手段と、
前記受信された第１または第２の物理アドレスのうち、複数の同一の第１または第２の物理アドレスが存在するか否かを判断する判断手段と、
前記複数の同一の第１または第２の物理アドレスが存在しないと判断された場合に、前記ソース機器が接続されているＨＤＭＩ入力端子を識別する入力端子識別情報及び前記ソース機器の単一の機器種別情報を対応付けて表示し、前記複数の同一の第１または第２の物理アドレスが存在すると判断された場合に、前記入力端子識別情報と、前記複数の異なる機器種別情報のうち、前記記憶された優先順位情報を基に選択された１つの機器種別情報とを対応付けて表示する表示手段とを有する
表示システム。
【請求項５】
単一または複数の異なる機器種別情報が割り当てられた外部機器が有するＨＤＭＩ出力端子に接続可能な第１のＨＤＭＩ（High-Definition Multimedia Interface）入力端子に割り当てられた第１の物理アドレスと、前記ＨＤＭＩ出力端子に接続可能な第２のＨＤＭＩ入力端子に割り当てられた第２の物理アドレスとを記憶し、
前記複数の異なる機器種別情報の優先順位を示す優先順位情報を記憶し、
前記第１のＨＤＭＩ入力端子へ前記ＨＤＭＩ出力端子が接続された場合に前記外部機器から前記第１の物理アドレス及び当該外部機器の機器種別を示す機器種別情報を一対一で対応付けて受信し、前記第２のＨＤＭＩ入力端子へ前記ＨＤＭＩ出力端子が接続された場合に前記外部機器から前記第２の物理アドレス及び前記機器種別情報を一対一で対応付けて受信し、
前記受信された第１または第２の物理アドレスのうち、複数の同一の第１または第２の物理アドレスが存在するか否かを判断し、
前記複数の同一の第１または第２の物理アドレスが存在しないと判断された場合に、前記外部機器が接続されているＨＤＭＩ入力端子を識別する入力端子識別情報及び前記外部機器の単一の機器種別情報を対応付けて表示し、前記複数の同一の第１または第２の物理アドレスが存在すると判断された場合に、前記入力端子識別情報と、前記複数の異なる機器種別情報のうち、前記記憶された優先順位情報を基に選択された１つの機器種別情報とを対応付けて表示する
表示方法。
【発明の詳細な説明】
【技術分野】
【０００１】
本発明は、ＨＤＭＩ（High-Definition Multimedia Interface）により他の機器と情報のやり取りが可能な電子機器、表示システム、送信方法及び表示方法に関する。
【背景技術】
【０００２】
従来から、電子機器間でＨＤＭＩを用いて通信を行う際には、ＨＤＭＩシンク機器（以下、単にシンク機器と称する）は、当該シンク機器に接続されているＨＤＭＩソース機器（以下、単にソース機器と称する）の接続形態を、シンク機器のディスプレイにメニュー表示することが可能である。
【０００３】
例えば、シンク機器がＨＤＭＩ１とＨＤＭＩ２の２つのＨＤＭＩ入力端子を有する場合には、ＨＤＭＩ１とＨＤＭＩ２のそれぞれに接続されているソース機器の機器名情報や機種情報がディスプレイに一覧表示される。  
この表示は、各ソース機器が、自身が接続されているシンク機器のＨＤＭＩ入力端子に割り当てられた物理アドレスを、シンク機器がＨＤＭＩ入力端子毎に有するＥＤＩＤ（Extended Display Identification Data）を読み出すことで取得し、当該取得した物理アドレスを自身の物理アドレスとしてシンク機器へ通知することで可能となる。
【０００４】
ＨＤＭＩによる通信が可能な伝送システムについては、下記特許文献１に記載されている。  
【特許文献１】特開２００２−２３２３７７号公報
【発明の開示】
【発明が解決しようとする課題】
【０００５】
しかしながら、上述のような従来のＨＤＭＩ伝送システムにおいて、ソース機器がシンク機器のあるＨＤＭＩ入力端子から別のＨＤＭＩ入力端子へ繋ぎ替えられた場合には、ソース機器は、物理アドレスの再読み出し（再取得）を行うような仕様になっていない。したがって、そのような繋ぎ替えの際、更新された最新のソース機器の接続形態（すなわち、どのソース機器がどのＨＤＭＩ入力端子に接続されているか）は、上記メニュー表示には反映されない。そのため、ユーザは、その最新の接続形態を知ることができず、ユーザの誤解や混乱を招く結果となってしまう。
【０００６】
以上のような事情に鑑み、本発明の目的は、ＨＤＭＩ対応機器間の最新の接続形態をユーザにリアルタイムで報知することが可能な電子機器、表示システム、送信方法及び表示方法を提供することにある。
【課題を解決するための手段】
【０００７】
上述の課題を解決するため、本発明の主たる観点に係る電子機器は、外部機器が有する、第１の物理アドレスが割り当てられた第１のＨＤＭＩ入力端子または第２の物理アドレスが割り当てられた第２のＨＤＭＩ入力端子に接続可能なＨＤＭＩ出力端子と、前記ＨＤＭＩ出力端子の、前記第１または第２のＨＤＭＩ入力端子への接続を検出する検出手段と、前記ＨＤＭＩ出力端子の前記第１のＨＤＭＩ入力端子への接続が検出された場合に前記外部機器から前記第１の物理アドレスを読み出し、前記ＨＤＭＩ出力端子の前記第２のＨＤＭＩ入力端子への接続が検出された場合に前記外部機器から前記第２の物理アドレスを読み出す読み出し手段と、前記読み出された第１または第２の物理アドレスを、前記ＨＤＭＩ出力端子を介して前記外部機器へ送信する送信手段とを具備する。
【０００８】
ここで、上記電子機器は、ＨＤＭＩソース機器として機能し、上記外部機器は、ＨＤＭＩシンク機器として機能するものであるが、各機器は、各機能のみを有するものではなく、電子機器及び外部機器は、シンク機器及びソース機器の両方の機能を有していても構わない（リピータ機器）。また、第１及び第２のＨＤＭＩ入力端子は、映像データや音声データ等の信号の入力のみではなく、例えば制御信号等の出力も可能である。同様に、ＨＤＭＩ出力端子は、信号の出力のみが可能ではなく、入力も可能である。電子機器としては、例えばＢＤ（Blu-ray Disc）プレイヤーやＤＶＤプレイヤー等の再生装置、ＨＤＤ（Hard Disk Drive）等の記録媒体を備えた記録再生装置（ＰＶＲ；Personal Video Recorder）、セットトップボックス、デジタルビデオカメラ、ＡＶアンプ等が挙げられる。外部機器としては、例えばテレビジョン装置（以下、ＴＶ）やプロジェクタ等が挙げられる。上記検出手段は、例えばＨＰＤ（Hot Plug Detect）信号に基づいて前記接続を検出する。上記第１及び第２のＨＤＭＩ入力端子と、ＨＤＭＩ出力端子とは、有線（ＨＤＭＩケーブル）により接続されてもよいし、無線により接続されてもよい。
【０００９】
この構成によれば、電子機器は、上記検出手段により第１または第２のＨＤＭＩ入力端子への接続が検出される毎に、外部機器から、各ＨＤＭＩ入力端子（すなわち、当該電子機器）に割り当てられた第１または第２の物理アドレスを読み出して、外部機器へ送信することができる。したがって、外部機器は、第１または第２のＨＤＭＩ入力端子に電子機器が接続される毎に、当該接続の通知を受け取ることができる。これにより、外部機器は、各ＨＤＭＩ入力端子への接続形態を、電子機器の接続毎に、例えば表示する等してリアルタイムにユーザに報知することができる。また外部機器は、例えば電子機器が第１のＨＤＭＩ入力端子から第２のＨＤＭＩ入力端子へ繋ぎ替えられた場合でも、その繋ぎ替えをリアルタイムに更新し、ユーザへ報知できる。
【００１０】
上記電子機器において、前記第１のＨＤＭＩ入力端子への接続が検出された場合に、前記読み出された当該第１の物理アドレスを記憶する記憶手段と、前記第２のＨＤＭＩ入力端子への接続が検出された場合に、前記記憶された第１の物理アドレスを、前記読み出された第２の物理アドレスへ更新する更新手段とを更に具備していてもよい。
【００１１】
これにより、当該電子機器が外部機器の第１のＨＤＭＩ入力端子へ一度接続された後に、第２のＨＤＭＩ入力端子へ繋ぎ替えられた場合には、第２のＨＤＭＩ入力端子への接続の検出をトリガにして物理アドレスを再取得することで、その繋ぎ替えをリアルタイムに外部機器へ通知することができる。
【００１２】
上記電子機器において、前記送信手段は、当該電子機器の機器種別を示す機器種別情報を前記第１または第２の物理アドレスと共に前記外部機器へ送信してもよい。
【００１３】
ここで機器種別情報とは、例えば［Playback Device］、［DVD System］、［Recording Device］、［STB］、［Audio System］等の情報である。これにより、第１のＨＤＭＩ入力端子と第２のＨＤＭＩ入力端子との間で電子機器の繋ぎ替えがあった場合に、その繋ぎ替えと共に繋ぎ替えられた電子機器の機器種別を外部機器にリアルタイムに通知することができる。
【００１４】
上記電子機器において、前記送信手段は、当該電子機器の型名を示す型名情報を更に送信してもよい。
【００１５】
ここで型名とは、各電子機器に１対１で割り当てられる、数字やアルファベット等からなる識別子である。この構成により、外部機器の第１のＨＤＭＩ入力端子及び第２のＨＤＭＩ入力端子に同一の機器種別の電子機器が接続された場合でも、外部機器は、上記型名情報を表示することで、各ＨＤＭＩ入力端子に接続された電子機器をユーザに判別させることができる。また、この型名情報の表示により、第１のＨＤＭＩ入力端子と第２のＨＤＭＩ入力端子との間で電子機器が単に繋ぎ替えられたのか、それとも新たな電子機器が替わって接続されたのかといった判別を行わせることもできる。
【００１６】
本発明の他の観点に係る電子機器は、外部機器が有するＨＤＭＩ出力端子に接続可能な第１のＨＤＭＩ入力端子と、前記ＨＤＭＩ出力端子に接続可能な第２のＨＤＭＩ入力端子と、前記第１のＨＤＭＩ入力端子に割り当てられた第１の物理アドレスと、前記第２のＨＤＭＩ入力端子に割り当てられた第２の物理アドレスとを記憶する第１の記憶手段と、前記第１のＨＤＭＩ入力端子へ前記ＨＤＭＩ出力端子が接続された場合に前記外部機器から前記第１の物理アドレス及び当該外部機器の機器種別を示す機器種別情報を受信し、前記第２のＨＤＭＩ入力端子へ前記ＨＤＭＩ出力端子が接続された場合に前記外部機器から前記第２の物理アドレス及び前記機器種別情報を受信する受信手段と、前記受信された第１及び第２の物理アドレスのうち少なくとも一方と、前記機器種別情報とを基に、前記外部機器が接続されているＨＤＭＩ入力端子を識別する入力端子識別情報及び前記外部機器の機器種別情報を表示する表示手段とを具備する。
【００１７】
ここで電子機器とは例えばＴＶ、ディスプレイ装置、プロジェクタ等のＨＤＭＩシンク機器であり、外部機器とは例えば再生装置やＡＶアンプ等のＨＤＭＩソース機器（またはリピータ機器）である。
【００１８】
この構成によれば、第１または第２のＨＤＭＩ入力端子に外部機器が接続される毎に、当該接続の通知を受け取ることができる。これにより、外部機器は、各ＨＤＭＩ入力端子への接続形態を、外部機器の接続毎に表示して、リアルタイムにユーザに報知することができる。また電子機器は、例えば外部機器が第１のＨＤＭＩ入力端子から第２のＨＤＭＩ入力端子へ繋ぎ替えられた場合でも、その繋ぎ替えをリアルタイムに知り、ユーザへ報知できる。
【００１９】
上記電子機器において、前記表示手段は、前記第１のＨＤＭＩ入力端子へ前記ＨＤＭＩ出力端子が接続された場合に、前記受信された第１の物理アドレスを基に表示した前記入力端子識別情報を、前記第２のＨＤＭＩ入力端子へ前記ＨＤＭＩ出力端子が接続された場合に、前記受信された第２の物理アドレスを基に更新して表示してもよい。
【００２０】
これにより、外部機器が第１のＨＤＭＩ入力端子から第２のＨＤＭＩ入力端子へ繋ぎ替えられた場合に、上記第２の物理アドレスを受信して入力端子識別情報を更新して表示することで、繋ぎ替えをリアルタイムに表示を更新してユーザへ報知することができる。
【００２１】
上記電子機器は、複数の異なる前記機器種別情報の優先順位を示す優先順位情報を記憶する第２の記憶手段を更に具備し、前記外部機器には複数の異なる機器種別が割り当てられており、前記受信手段は、前記複数の機器種別情報をそれぞれ受信し、前記表示手段は、前記受信された複数の機器種別情報のうち、前記記憶された優先順位情報を基に選択された１つの機器種別情報を外部機器毎に表示してもよい。
【００２２】
ここで、外部機器に異なる複数の機器種別が割り当てられる場合としては、例えば、ＤＶＤプレイヤーとＡＶアンプとが一体となったＤＶＤ／ＡＶシステムに対して、［Playback Device］と［Audio System］の２つの機器種別情報が割り当てられる場合が挙げられる。この構成により、１つの外部機器に複数の異なる機器種別情報が割り当てられている場合でも、優先順位に従って選択された１つの機器種別情報を表示することができる。したがって、１つの外部機器に対して複数の機器種別情報が別個に表示されることによりあたかも２台の外部機器が１つのＨＤＭＩ入力端子に接続されているかのような誤解をユーザに与えることを防ぐことができる。
【００２３】
上記電子機器において、前記受信手段は、前記外部機器の型名を示す型名情報を更に受信し、前記表示手段は、前記機器種別情報及び入力端子識別情報と共に前記受信された型名情報を表示してもよい。
【００２４】
これにより、上記型名情報を表示することで、各ＨＤＭＩ入力端子にそれぞれ同一の機器種別を有する外部機器が接続された場合でも、各外部機器をユーザに判別させることができる。また、この型名情報の表示により、第１のＨＤＭＩ入力端子と第２のＨＤＭＩ入力端子との間で外部機器が単に繋ぎ替えられたのか、それとも新たな外部機器が替わって接続されたのかといった判別をユーザに行わせることもできる。
【００２５】
上記電子機器において、前記外部機器には複数の異なる機器種別が割り当てられており、前記受信手段は、前記複数の機器種別情報をそれぞれ受信し、前記表示手段は、前記受信された複数の機器種別情報を、１つの前記入力端子識別情報と共に表示してもよい。
【００２６】
これにより、外部機器が複数の機能を併せ持つ場合でも、それらの機能を全てユーザに把握させることができる。
【００２７】
本発明のまた別の観点に係る表示システムは、ＨＤＭＩ出力端子を有するソース機器と、第１のＨＤＭＩ入力端子及び第２のＨＤＭＩ入力端子を有するシンク機器とを具備する表示システムであって、前記ソース機器は、当該ソース機器の機器種別を示す機器種別情報を記憶する第１の記憶手段と、前記ＨＤＭＩ出力端子の、前記第１または第２のＨＤＭＩ入力端子への接続を検出する検出手段と、前記ＨＤＭＩ出力端子の前記第１のＨＤＭＩ入力端子への接続が検出された場合に、前記第１のＨＤＭＩ入力端子に割り当てられた第１の物理アドレスを前記シンク機器から読み出し、前記ＨＤＭＩ出力端子の前記第２のＨＤＭＩ入力端子への接続が検出された場合に、前記第２のＨＤＭＩ入力端子に割り当てられた第２の物理アドレスを前記シンク機器から読み出す読み出し手段と、前記読み出された第１または第２の物理アドレス及び前記機器種別情報を前記ＨＤＭＩ出力端子を介して前記シンク機器へ送信する送信手段とを有し、前記シンク機器は、前記第１及び第２の物理アドレスを記憶する第２の記憶手段と、前記送信された前記第１の物理アドレス及び前記機器種別情報を前記第１のＨＤＭＩ入力端子を介して受信し、前記送信された前記第２の物理アドレス及び前記機器種別情報を前記第２のＨＤＭＩ入力端子を介して受信する受信手段と、前記受信された第１及び第２の物理アドレスのうち少なくとも一方と、前記機器種別情報とを基に、前記ソース機器が接続されているＨＤＭＩ入力端子を識別する入力端子識別情報及び当該ソース機器の機器種別情報を表示する表示手段とを有する。
【００２８】
本発明の別の観点に係る送信方法は、外部機器が有する、第１の物理アドレスが割り当てられた第１のＨＤＭＩ入力端子または第２の物理アドレスが割り当てられた第２のＨＤＭＩ入力端子へ、ＨＤＭＩ出力端子が接続されたことを検出し、前記ＨＤＭＩ出力端子の前記第１のＨＤＭＩ入力端子への接続が検出された場合に前記外部機器から前記第１の物理アドレスを読み出し、前記ＨＤＭＩ出力端子の前記第２のＨＤＭＩ入力端子への接続が検出された場合に前記外部機器から前記第２の物理アドレスを読み出し、前記読み出された第１または第２の物理アドレスを前記ＨＤＭＩ出力端子を介して前記外部機器へ送信する。
【００２９】
本発明のまた別の観点に係る表示方法は、外部機器が有するＨＤＭＩ出力端子に接続可能な第１のＨＤＭＩ入力端子に割り当てられた第１の物理アドレスと、前記ＨＤＭＩ出力端子に接続可能な第２のＨＤＭＩ入力端子に割り当てられた第２の物理アドレスとを記憶し、前記第１のＨＤＭＩ入力端子へ前記ＨＤＭＩ出力端子が接続された場合に前記外部機器から前記第１の物理アドレス及び当該外部機器の機器種別を示す機器種別情報を受信し、前記第２のＨＤＭＩ入力端子へ前記ＨＤＭＩ出力端子が接続された場合に前記外部機器から前記第２の物理アドレス及び前記機器種別情報を受信し、前記受信された第１及び第２の物理アドレスのうち少なくとも一方と、前記機器種別情報とを基に、前記外部機器が接続されているＨＤＭＩ入力端子を識別する入力端子識別情報及び前記外部機器の機器種別情報を表示する。
【発明の効果】
【００３０】
以上のように、本発明によれば、ＨＤＭＩ対応機器間の最新の接続形態をユーザにリアルタイムで報知することができる。
【発明を実施するための最良の形態】
【００３１】
以下、本発明の実施の形態を図面に基づき説明する。
【００３２】
図１は、本発明の一実施形態における伝送システムの構成を示すブロック図である。  
同図に示すように、伝送システムは、例えば、テレビジョン装置１（以下、ＴＶ１）、ＤＶＤプレイヤー２、ＤＶＤ／ＡＶシステム３、ＳＴＢ４、ＰＶＲ５、デジタルＶＨＳプレイヤー６（以下、ＤＶＨＳプレイヤー６と称する）等の各電子機器により構成される。
【００３３】
ＴＶ１は、２つのＨＤＭＩ入力端子８ａ及び８ｂ（ＨＤＭＩ１及びＨＤＭＩ２）を有する。ＤＶＤ／ＡＶシステム３は、１つのＨＤＭＩ出力端子９と、２つのＨＤＭＩ入力端子１０ａ及び１０ｂ（ＨＤＭＩ１及びＨＤＭＩ２）を有する。ＤＶＤプレイヤー２、ＰＶＲ５及びＤＶＨＳプレイヤー６は１つのＨＤＭＩ出力端子を有し、ＳＴＢ４は、ＨＤＭＩ入力端子とＨＤＭＩ出力端子とを１つずつ有する。これらのＨＤＭＩ入出力端子は全てＨＤＭＩケーブル７により接続可能とされている。
【００３４】
同図において、ＴＶ１とＤＶＤプレイヤー２との間、及びＴＶ１とＤＶＤ／ＡＶシステム３との間では、ＴＶ１がシンク機器、ＤＶＤプレイヤー２及びＤＶＤ／ＡＶシステム３がソース機器としてそれぞれ機能する。ＴＶ１、ＤＶＤ／ＡＶシステム３、ＳＴＢ４及びＰＶＲ５の間では、ＴＶ１がシンク機器、ＤＶＤ／ＡＶシステム３及びＳＴＢ４がリピータ機器、ＰＶＲ５がソース機器としてそれぞれ機能する。ＴＶ１、ＤＶＤ／ＡＶシステム３及びＤＶＨＳプレイヤー６の間では、ＴＶ１がシンク機器、ＤＶＤ／ＡＶシステム３がリピータ機器、ＤＶＨＳプレイヤー６がソース機器として機能する。
【００３５】
本実施形態においては、これら各機器のうちＴＶ１及びＤＶＤ／ＡＶシステム３の構成及び動作を中心に説明する。
【００３６】
図２は、ＴＶ１の構成を示したブロック図である。  
同図に示すように、ＴＶ１は、デジタルアンテナ入力端子１２、デジタルチューナ１３、ＭＰＥＧデコーダ１４、映像信号処理回路１５、グラフィック生成部１６、パネル駆動回路１７、表示パネル１８、音声信号処理回路１９、音声信号増幅回路２０、スピーカ２１、ＨＤＭＩ入力端子８ａ及び８ｂ、ＨＤＭＩ受信部２３、ＣＰＵ（Central Processing Unit）２５、フラッシュメモリ２６、ＤＲＡＭ（Dynamic Random Access Memory）２７、内部バス２８及びリモコン受光部２９を有する。
【００３７】
デジタルアンテナ入力端子１２は、図示しないデジタルアンテナにより受信されたデジタル放送の放送信号を入力する。デジタルチューナ１３は、当該放送信号から指定されたチャンネルの信号を選局してベースバンド信号に周波数変換し、ＭＰＥＧデコーダ１４に出力する。ＭＰＥＧデコーダ１４は、エンコードされたＡＶベースバンド信号をデコードし、デコードした信号のうち映像信号を映像信号処理回路１５へ、音声信号を音声信号処理回路１９へ出力する。
【００３８】
映像信号処理回路１５は、入力された映像信号に必要な映像処理を施し、グラフィック生成部１６へ出力する。グラフィック生成部１６は、入力された映像信号とＧＵＩ（Graphical User Interface）画面等をＯＳＤ（On Screen Display）処理により合成して、パネル駆動回路１７へ出力する。パネル駆動回路１７は、グラフィック生成部１６から供給される映像信号のＤ／Ａ変換等を行い、アナログに変換された映像信号に応じて表示パネル１８を駆動する。表示パネル１８は、例えばＬＣＤ（Liquid Crystal Display）やＰＤＰ（Plasma Display Panel）等であり、パネル駆動回路１７から入力されたアナログ映像信号を表示する。当該表示パネル１８には、映像コンテンツの再生画面のみならず、例えば、ＴＶ１にＨＤＭＩにより接続された機器の一覧を示すメニュー画面（以下、接続機器メニュー画面と称する）や、各種設定画面が、例えばＯＳＤにより表示される。
【００３９】
音声信号処理回路１９は、入力された音声信号に必要な音声処理を施し、音声信号増幅回路２０へ出力する。音声信号増幅回路は、入力された音声信号を必要な音量に調整し、スピーカ２１へ出力して再生させる。
【００４０】
ＨＤＭＩ入力端子８ａ及び８ｂは、上述したように、ＤＶＤプレイヤー２及びＤＶＤ／ＡＶシステム３等の他のソース機器（またはリピータ機器）とＨＤＭＩケーブル７を介して接続可能とされ、種々のコンテンツの映像信号や音声信号を、デジタルベースバンド信号として他のソース機器（またはリピータ機器）から入力する。またＨＤＭＩ入力端子８ａ及び８ｂは、他のソース機器（またはリピータ機器）との間で、後述するＣＥＣ（Consumer Electronics Control）メッセージ等の制御信号を入力及び出力する。
【００４１】
ＨＤＭＩ受信部２３は、ＨＤＭＩ入力端子８ａ及び８ｂにより入力された映像信号及び音声信号を受け取り、映像信号を映像信号処理回路１５へ、音声信号を音声信号処理回路１９へそれぞれ出力する。また、ＨＤＭＩ受信部２３は、ＣＰＵ２５とＨＤＭＩ入力端子８ａ及び８ｂとの間の、上記制御信号の送受信を制御する。
【００４２】
ＣＰＵ２５は、必要に応じてＤＲＡＭ２７等にアクセスし、ＴＶ１の各ブロックを統括的に制御する。フラッシュメモリ２６は、ＣＰＵ２５に実行させるＯＳ、プログラムや各種パラメータなどのファームウェアが固定的に記憶されている不揮発性のメモリである。ＤＲＡＭ２７は、ＣＰＵ２５の作業用領域等として用いられ、ＯＳやプログラム、処理データ等を一時的に保持するメモリである。ＣＰＵ２５、フラッシュメモリ２６及びＤＲＡＭ２７は内部バス２８に接続され、相互にアクセスされることでＴＶ１の全体が制御される。またＣＰＵ２５は、上記ＨＤＭＩ受信部２３にも接続され、ＨＤＭＩ受信部２３のデータ受信処理を制御する。
【００４３】
リモコン受光部２９は、ユーザに操作されるリモコン１１から遠隔制御信号を受信し、当該遠隔制御信号をＣＰＵ２５へ出力する。これにより、コンテンツの受信や再生等の、制御信号に応じたＴＶ１の制御処理が実行される。
【００４４】
リモコン１１は、例えば放送チャンネルに対応した数字キーや、メニューボタン、再生ボタン等の各種操作部を有している。
【００４５】
図３は、ＤＶＤ／ＡＶシステム３の構成を示したブロック図である。  
このＤＶＤ／ＡＶシステム３は、ＤＶＤプレイヤーとしての機能と、ＡＶアンプとしての機能を併せ持つ機器である。  
同図に示すように、ＤＶＤ／ＡＶシステム３は、ＡＭ／ＦＭチューナ３１、復調部３２、光ディスクドライブ３３、デマルチプレクサ３５、デコーダ３６、音声信号処理回路３７、映像信号処理回路３８、音声信号増幅回路３９、ＣＰＵ４１、フラッシュメモリ４２、ＤＲＡＭ４３、ＨＤＭＩ受信部４４、ＨＤＭＩ送信部４６、ＨＤＭＩ入力端子１０ａ及び１０ｂ、ＨＤＭＩ出力端子９及びリモコン受光部４８を有する。
【００４６】
ＡＭ／ＦＭチューナ３１は、図示しないＡＭ／ＦＭアンテナにより受信されたＡＭ／ＦＭラジオ放送の放送信号を入力し、当該放送信号から、指定されたチャンネルの信号を選局し、当該信号を復調部３２へ出力する。復調部３２は、ＡＭ／ＦＭチューナ３１から入力した信号を復調して音声信号を取り出し、音声信号処理回路３７へ出力する。
【００４７】
光ディスクドライブ３３は、光ディスク３４に記録された映像コンテンツを読み出し、デマルチプレクサ３５へ出力する。光ディスク３４に記録されている映像コンテンツは、例えばＭＰＥＧ（Motion Picture Expert Group）方式で圧縮されたＭＰＥＧストリームである。光ディスク３４は、例えばＤＶＤ（ＤＶＤ−Ｖｉｄｅｏ、ＤＶＤ−ＲＡＭ、ＤＶＤ−Ｒ、ＤＶＤ−ＲＷ、ＤＶＤ＋Ｒ、ＤＶＤ＋ＲＷ等）やＢＤ（Blu-ray Disc）等である。なお動画像データの圧縮方式はＭＰＥＧに限られるものではなく、その他の圧縮方式であっても構わない。
【００４８】
デマルチプレクサ３５は、音声ストリームと映像ストリームとが多重化されたＭＰＥＧストリームを、音声ストリームと映像ストリームとに分離して、デコーダ３６へ出力する。
【００４９】
デコーダ３６は、上記分離された音声ストリーム及び映像ストリームをそれぞれデコードして、デジタル音声信号及びデジタル映像信号に変換し、デジタル音声信号を音声信号処理回路３７へ、デジタル映像信号を映像信号処理回路３８へ出力する。
【００５０】
音声信号処理回路３７は、入力されたデジタル音声信号に必要な音声処理を施し、音声信号増幅回路３９またはＨＤＭＩ送信部４６へ出力する。
【００５１】
音声信号増幅回路３９は、入力されたデジタル音声信号をアナログ音声信号に変換し、必要な音量に調整して、スピーカ４０へ出力して再生させる。スピーカ４０は、例えば当該ＤＶＤ／ＡＶシステム３に外部接続されるが、当該ＤＶＤ／ＡＶシステム３に内蔵されていても構わない。
【００５２】
映像信号処理回路３８は、入力されたデジタル映像信号に、ＯＳＤ（On Screen Display）処理等の必要な映像処理を施し、デジタル信号のままＨＤＭＩ送信部４６へ出力する。
【００５３】
ＣＰＵ４１は、必要に応じてＤＲＡＭ４３等にアクセスし、ＤＶＤ／ＡＶシステム３の各ブロックを統括的に制御する。フラッシュメモリ４２は、ＣＰＵ４１に実行させるＯＳ、プログラムや各種パラメータなどのファームウェアが固定的に記憶されている不揮発性のメモリである。ＤＲＡＭ４３は、ＣＰＵ４１の作業用領域等として用いられ、ＯＳやプログラム、処理データ等を一時的に保持するメモリである。ＣＰＵ４１、フラッシュメモリ４２及びＤＲＡＭ４３は内部バス４５に接続され、相互にアクセスされることでＤＶＤ／ＡＶシステム３の全体が制御される。またＣＰＵ４１は、ＨＤＭＩ受信部４４及びＨＤＭＩ送信部４６にも接続され、両部のデータ送受信処理を制御する。
【００５４】
ＨＤＭＩ入力端子１０ａ及び１０ｂは、上述したように、ＳＴＢ４及びＤＶＨＳプレイヤー６等の他のソース機器（またはリピータ機器）とＨＤＭＩケーブル７を介して接続可能とされ、種々のコンテンツの映像信号や音声信号を、デジタルベースバンド信号として他のソース機器（またはリピータ機器）から入力する。またＨＤＭＩ入力端子１０ａ及び１０ｂは、他のソース機器（またはリピータ機器）との間で、上記制御信号を入力及び出力する。
【００５５】
ＨＤＭＩ受信部４４は、ＨＤＭＩ入力端子１０ａ及び１０ｂにより入力された映像信号及び音声信号を受け取り、映像信号を映像信号処理回路３８へ、音声信号を音声信号処理回路３７へそれぞれ出力する。また、ＨＤＭＩ受信部４４は、ＣＰＵ４１の制御の下、ＨＤＭＩ入力端子１０ａ及び１０ｂによる、他のソース機器（またはリピータ機器）との間の上記制御信号の送受信を制御する。
【００５６】
ＨＤＭＩ出力端子９は、上述したように、ＴＶ１等のシンク機器とＨＤＭＩケーブル７を介して接続可能とされ、ＨＤＭＩ送信部４６から供給される映像信号及び音声信号を、デジタルベースバンド信号としてシンク機器へ出力する。またＨＤＭＩ出力端子９は、シンク機器との間で、上記制御信号を入力及び出力する。
【００５７】
ＨＤＭＩ送信部４６は、上記映像信号処理回路３８またはＨＤＭＩ受信部４４から供給される映像信号や、上記音声信号処理回路３７またはＨＤＭＩ受信部４４から供給される音声信号をＨＤＭＩ出力端子９へ出力し、当該ＨＤＭＩ出力端子９による信号の送信を制御する。またＨＤＭＩ送信部４６は、上記ＣＰＵ４１の制御の下、ＨＤＭＩ出力端子９とシンク機器との間の上記制御信号の送受信を制御する。
【００５８】
図４は、ＤＶＤ／ＡＶシステム３のＨＤＭＩ送信部４６及びＴＶ１のＨＤＭＩ受信部２３の電気的構成を示した図である。
【００５９】
上述したように、ＨＤＭＩソースとしてのＤＶＤ／ＡＶシステム３のＨＤＭＩ送信部４６と、ＨＤＭＩシンクとしてのＴＶ１のＨＤＭＩ受信部２３とは、１本のＨＤＭＩケーブル７で接続されている。しかしながら、ＨＤＭＩ送信部４６とＨＤＭＩ受信部２３とは、無線により接続されてもよい。
【００６０】
ＨＤＭＩ送信部４６は、トランスミッタ５０を有する。トランスミッタ５０は、例えば、映像を構成する画像の非圧縮の画素データを対応する差動信号に変換し、３つのＴＭＤＳチャンネル＃０，＃１，＃２を介して、ＨＤＭＩ受信部２３に一方向にシリアル伝送する。
【００６１】
また、トランスミッタ５０は、非圧縮の映像に付随する音声データ、さらには、必要な制御データその他の補助データ等を、対応する差動信号に変換し、３つのＴＭＤＳチャンネル＃０，＃１，＃２を介して、ＨＤＭＩ受信部２３に一方向にシリアル伝送する。
【００６２】
さらに、トランスミッタ５０は、３つのＴＭＤＳチャンネル＃０，＃１，＃２で送信する画素データに同期したピクセルクロックを、ＴＭＤＳクロックチャンネルを介して、ＨＤＭＩ受信部２３に送信する。ここで、１つのＴＭＤＳチャンネル＃ｉ（ｉ=０，１，２）では、ピクセルクロックの１クロックの間に、１０ビットの画素データが送信される。
【００６３】
ＨＤＭＩ受信部２３は、レシーバ３０を有する。レシーバ３０は、ＴＭＤＳチャンネル＃０，＃１，＃２で、ＨＤＭＩ送信部４６から一方向に送信されてくる、画素データに対応する差動信号と、音声データや制御データに対応する差動信号を、同じくＨＤＭＩ送信部４６からＴＭＤＳクロックチャンネルで送信されてくるピクセルクロックに同期して受信する。
【００６４】
ＨＤＭＩ送信部４６とＨＤＭＩ受信部２３との間の伝送チャンネルとしては、上記ＴＭＤＳチャンネル＃０乃至＃２及びＴＭＤＳクロックチャンネルの他に、ＤＤＣライン１１０、ＣＥＣライン１２０及びＨＰＤライン１３０の３つの伝送チャンネルがある。
【００６５】
ＤＤＣライン１１０は、ＨＤＭＩケーブル７に含まれる図示せぬ２本の信号線からなり、ＨＤＭＩ送信部４６が、ＨＤＭＩ受信部２３から、上述したＥＤＩＤを読み出すのに使用される。
【００６６】
すなわち、ＨＤＭＩ受信部２３は、レシーバ３０の他に、自身の設定や性能に関する情報であるＥＤＩＤを記憶しているEDIDROM（EDID ROM（Read Only Memory））６０を有している。ＨＤＭＩ送信部４６は、ＨＤＭＩ受信部２３から、そのＨＤＭＩ受信部２３のEDIDROM６０が記憶しているＥＤＩＤを、ＤＤＣライン１１０を介して読み出し、そのＥＤＩＤに基づき、ＨＤＭＩ受信部２３の設定や性能、すなわち、たとえばＨＤＭＩ受信部２３（を有するＴＶ１）が対応している画像のフォーマット（プロファイル）、たとえばＲＧＢ（Red/Green/Blue）や、YCbCr4:4:4，YCbCr4:2:2などを認識する。
【００６７】
また、ＥＤＩＤには、ＨＤＭＩ送信部４６に割り当てられる物理アドレスも記述されている。ＨＤＭＩ送信部４６は、ＤＤＣライン１１０を介してこのＥＤＩＤを読み出すことで、自身の物理アドレスを取得する。
【００６８】
ＣＥＣライン１２０は、ＨＤＭＩケーブル７に含まれる図示せぬ１本の信号線からなり、ＨＤＭＩ送信部４６とＨＤＭＩ受信部２３との間で、制御用のデータやメッセージ（ＣＥＣメッセージ）の双方向通信を行うのに用いられる。
【００６９】
ＴＶ１は、このＣＥＣ接続に対応していることにより、ＨＤＭＩ接続において、どういった機器がどのような接続形態でトポロジー上に形成されているかを、上記接続機器メニュー画面として表現することが可能となっている。
【００７０】
ＨＰＤライン１３０は、上述したように、ＨＤＭＩ送信部４６およびＨＤＭＩ受信部２３が、他の電子機器、つまりＨＤＭＩ受信部２３またはＨＤＭＩ送信部４６と接続されたことを検出して、一方向伝送の可否やメッセージ応答の可否を判断するために用いられる。
【００７１】
次に、以上のように構成された伝送システムにおいて、ＴＶ１が上記接続機器メニュー画面を表示する場合の各機器の動作について説明する。
【００７２】
シンク機器としてのＴＶ１は、接続先機器の機器情報を、＜Polling Message＞、＜Report Physical Address＞、＜OSD Name Transfer＞の各ＣＥＣメッセージを用いて把握することが可能であり、この機器情報の把握により、上記接続機器メニュー画面が表示可能となる。
【００７３】
まず、上記伝送システム内の各機器に物理アドレスが割り当てられる際の各機器の動作について説明する。  
図５は、各機器に物理アドレスが割り当てられる様子を示した図である。  
同図に示すように、シンク機器またはリピータ機器として機能し得る上記ＴＶ１、ＤＶＤ／ＡＶシステム３及びＳＴＢ４の各機器は、上述したように、それぞれＥＤＩＤを有し、当該ＥＤＩＤに、自身に接続された機器に対して割り当てるべき固有の物理アドレスを予め記憶している。
【００７４】
同図においては、例えば、ＴＶ１は、ＨＤＭＩ入力端子８ａに物理アドレス［1.0.0.0］を割り当て、ＨＤＭＩ入力端子８ｂに物理アドレス［2.0.0.0］を割り当てている。同様に、ＤＶＤ／ＡＶシステム３は、ＨＤＭＩ入力端子１０ａに物理アドレス［2.1.0.0］を割り当て、ＨＤＭＩ入力端子１０ｂに物理アドレス［2.2.0.0］を割り当てている。
【００７５】
シンク機器に初めて接続されたソース機器（またはリピータ機器）は、上記ＨＰＤライン１３０により、シンク機器側のＨＤＭＩ入力端子に接続されたことを検出すると（ＨＰＤ：Ｌ→Ｈ）、上記ＥＤＩＤを読み出すことで、上記物理アドレスを動的に取得する。すなわち、ＴＶ１のＥＤＩＤから、ＤＶＤプレイヤー２は物理アドレス［1.0.0.0］を取得し、ＤＶＤ／ＡＶシステム３は物理アドレス［2.0.0.0］を取得する。ＤＶＤ／ＡＶシステム３のＥＤＩＤから、ＳＴＢ４は物理アドレス［2.1.0.0］を取得し、ＤＶＨＳプレイヤー６は物理アドレス［2.1.1.0］を取得する。ＰＶＲ５は、ＳＴＢ４のＥＤＩＤから、物理アドレス［2.1.1.0］を取得する。このとき、ＨＤＭＩ出力端子を持たないＴＶ１は、ルートデバイスとして、物理アドレス［0.0.0.0］を有する機器となる。
【００７６】
ＤＶＤ／ＡＶシステム３等の各ソース機器（またはリピータ機器）は、取得した物理アドレスを、例えばフラッシュメモリ等の記憶装置に記憶する。これにより、各機器は、ＴＶ１のＨＤＭＩ入力端子８から外されて、ＨＰＤがＨからＬと変化しても自機の物理アドレスを保持することができる。
【００７７】
次に、ＴＶ１が上記各接続機器の接続状態を認識する動作について説明する。  
上述のように、各機器に物理アドレスが割り当てられたのみでは、ＴＶ１は、各機器がどういった種別の機器なのかを知ることはできない。そのため、ＴＶ１は、各機器へ上記ＣＥＣメッセージとして＜Polling Message＞を送信する。この＜Polling Message＞は、ＣＥＣ対応機器が、他の機器に対してＰｉｎｇ（リプライの確認）をすることにより、各機器の存在及び種類を知るためのメッセージである。ＴＶ１は、この＜Polling Message＞を各機器に定期的（例えば１５秒毎）に送信することで、トポロジー上の各機器の種別（ＣＥＣ上のデバイスタイプ）をリアルタイムに知ることができる。このデバイスタイプは、１つの機器に複数付与される場合もある。上記ＤＶＤ／ＡＶシステム３は、［Playback Device］と［Audio System］の２つのデバイスタイプを有する。
【００７８】
図６は、ＣＥＣプロトコルにおける論理アドレス及びデバイスタイプの定義を示すテーブルを示した図である。  
同図に示すように、ＣＥＣプロトコルにおいては、０〜１５までの１６の論理アドレスに対して、それぞれデバイスタイプが割り当てられている。例えば、上記ＴＶ１には論理アドレス［０］が割り当てられる。上記ＤＶＤプレイヤー２は、［Playback Device］に当たるため、ＤＶＤプレイヤー２には論理アドレス［４］、［８］及び［１１］の何れかの論理アドレスが割り当てられる。上記ＰＶＲ５は、［Recording Device］に当たるため、ＰＶＲ５には論理アドレス［１］、［２］及び［９］の何れかの論理アドレスが割り当てられる。上記ＤＶＤ／ＡＶシステム３は、上述のように［Playback Device］と［Audio System］の２つのデバイスタイプを有するため、ＤＶＤ／ＡＶシステム３には、［４］、［８］及び［１１］の何れかの論理アドレスと、論理アドレス［５］とが割り当てられる。論理アドレス［１５］は、ブロードキャスト用のアドレスである。
【００７９】
上記＜Polling Message＞は、この０〜１４の何れかの論理アドレスを宛先として指定して送信される。
【００８０】
図７は、ＴＶ１と他の機器との他の接続例を示した図である。  
同図に示すように、ＴＶ１のＨＤＭＩ入力端子８ａ（ＨＤＭＩ１）には、ＤＶＤ／ＡＶシステム３が接続され、ＨＤＭＩ入力端子８ｂ（ＨＤＭＩ２）には、ＰＶＲ５が接続されている。ＤＶＤ／ＡＶシステム３のＨＤＭＩ入力端子１０ａ及び１０ｂには何の機器も接続されていない。この場合における、ＴＶ１による接続状態の認識処理の具体例を以下説明する。
【００８１】
図８は、ＴＶ１が各機器の接続状態を認識する際のＣＥＣメッセージのやり取りの流れを示したシーケンス図である。  
同図に示すように、まず、ＴＶ１にメインメニュー画面が表示されている状態で、ユーザにより例えばリモコン１１の接続機器認識ボタンが押下されると、論理アドレス［１］を有するＴＶ１のＨＤＭＩ受信部２３は、論理アドレス［１４］〜論理アドレス［１］宛に、逐次＜Polling Message＞を送信する。この場合、論理アドレス［５］宛、論理アドレス［４］宛及び論理アドレス［１］宛の各＜Polling Message＞に対してＡＣＫが返答され、それら以外の宛先の各＜Polling Message＞に対してはＡＣＫが返答されていない（Ｓ１）。
【００８２】
そこで、ＨＤＭＩ受信部２３は、論理アドレス［５］宛、論理アドレス［４］宛及び論理アドレス［１］宛に、＜Give Physical Address＞を送信して、各機器の物理アドレスを要求する。論理アドレス［５］、論理アドレス［４］及び論理アドレス［１］を有する各機器は、当該＜Give Physical Address＞に対してＡＣＫを返答した上で、＜Report Physical Address＞をブロードキャストして、自身の物理アドレス及びデバイスタイプを通知する（Ｓ２）。
【００８３】
すなわち、論理アドレス［５］及び論理アドレス［４］を有するＤＶＤ／ＡＶシステム３は、＜Give Physical Address＞により、自身の物理アドレス［1.0.0.0］と、デバイスタイプ［Playback Device］及び［Audio System］を各機器へ通知する。また、論理アドレス［１］を有するＰＶＲ５は、＜Give Physical Address＞により、自身の物理アドレス［2.0.0.0］と、デバイスタイプ［Recording Device］を各機器へ通知する。これにより、ＴＶ１は、論理アドレス［５］、論理アドレス［４］及び論理アドレス［１］の各機器の物理アドレス及びデバイスタイプを把握することができる。
【００８４】
ここで、同一デバイスタイプの機器が複数存在する場合に、ＴＶ１が、上記取得したデバイスタイプのまま上記接続機器メニュー画面を表示してしまうと、ユーザはそれらの機器を判別することが困難となる。
【００８５】
そこで、ＨＤＭＩ受信部２３は、物理アドレス及びデバイスタイプを取得した上記論理アドレス［５］、論理アドレス［４］及び論理アドレス［１］の機器に、［Give OSD Name］を送信する。当該［Give OSD Name］を受信した各機器は、ＴＶ１へＡＣＫを返答した上で、［Set OSD Name］を送信する（Ｓ３）。OSD Nameは、各機器のモデル名を示す。当該OSD Nameを受信することで、ＴＶ１は、各機器のより詳細な情報を把握し、上記接続機器メニュー画面に反映させることができる。
【００８６】
続いて、ＨＤＭＩ受信部２３は、デバイスタイプが［Audio System］であることを把握した論理アドレス［５］宛に、＜Give System Audio Mode Status＞を送信する。当該＜Give System Audio Mode Status＞を受信した論理アドレス［５］を有するＤＶＤ／ＡＶシステム３は、ＴＶ１へ＜System Audio Mode Status＞を返信する。これにより、ＨＤＭＩ受信部２３は、ＴＶ１のスピーカ２１と、ＤＶＤ／ＡＶシステム３に接続されたスピーカ４０との間でＯＮ／ＯＦＦ（ミュート）を切り替えることができる。
【００８７】
ところで、上述したように、ＤＶＤ／ＡＶシステム３は、［Playback Device］と［Audio System］という２つのデバイスタイプと、これに対応した２つの論理アドレスを有する（論理アドレス［５］及び論理アドレス［４］）。一方、物理アドレスは１つである（物理アドレス［1.0.0.0］）。ＴＶ１がこの２つのデバイスタイプを上記接続機器メニュー画面に２つとも表示させてしまうと、あたかも２台の機器がＨＤＭＩ入力端子８ａ（ＨＤＭＩ１）に接続されているかのような誤解をユーザに与えてしまう。
【００８８】
そこで、本実施形態においては、上記デバイスタイプに優先順位を付けて、上記接続機器メニュー画面にデバイスタイプを１つのみ表示させることで、ユーザの混乱を防ぐこととしている。以下、この処理について説明する。
【００８９】
図９は、ＴＶ１による、当該デバイスタイプの優先順位に基づく接続機器メニュー画面の表示処理の流れを示したフローチャートである。  
同図に示すように、ＴＶ１のＨＤＭＩ受信部２３は、上記＜Report Physical Address＞により各機器の論理アドレス毎の物理アドレス及びデバイスタイプの情報を受信し、ＣＰＵ２５は、当該各機器の情報を、物理アドレスによりソートする（ステップ９１）。続いて、ＣＰＵ２５は、ソートした情報中に、同一の物理アドレスが複数含まれているか否かを判断する（ステップ９２）。
【００９０】
続いて、ＣＰＵ２５は、例えばフラッシュメモリ２６等に予め記憶してある、表示優先順位情報を基に、各機器の情報をソートする（ステップ９３）。この表示優先順位情報は、例えば、各機器のデバイスタイプを以下の順で順位付けする。  
１．Player (Playback Device)
２．Recorder (Recording Device)
３．Tuner
４．Audio System
【００９１】
もちろん、優先順位は、上記順位に限られるものではない。ユーザにより優先順位がカスタマイズされても構わない。
【００９２】
そして、ＣＰＵ２５は、物理アドレスが同一の機器のデバイスタイプ中、上記優先順位の最上位のデバイスタイプを選択して、当該選択されたデバイスタイプを基に、上記接続機器メニュー画面を表示させる（ステップ９４）。
【００９３】
図１０は、上記図７の接続例において表示される接続機器メニュー画面の表示例を示した図である。  
同図に示すように、ＴＶ１のＣＰＵ２５は、接続機器メニュー画面１００上に、接続されている機器毎に、「機器（デバイスタイプ）」、「入力端子」、「モデル」の各情報を表示する。
【００９４】
上述のように、ＴＶ１は、論理アドレス［４］及び［５］を有するＤＶＤ／ＡＶシステム３から、物理アドレス［1.0.0.0］と、デバイスタイプ［Playback Device］及び［Audio System］とを通知され、さらに上記優先順位による順位付けも行っている。上記優先順位情報によれば、デバイスタイプ［Playback Device］が［Audio System］よりも順位が高いため、［Playback Device］が選択されることとなる。したがって、ＴＶ１のＣＰＵ２５は、論理アドレス［４］及び［５］を有する機器の機器名（デバイスタイプ）として「プレイヤー１」を表示させ、当該機器が接続されている入力端子名として「ＨＤＭＩ１」（ＨＤＭＩ入力端子８ａ）を表示させる。さらにＣＰＵ２５は、上記通知されたOSD Nameに基づいて、ＤＶＤ／ＡＶシステム３のモデル名を表示させる。
【００９５】
またＴＶ１は、論理アドレス［１］を有するＰＶＲ５から、物理アドレス［2.0.0.0］、デバイスタイプ［Recording Device］及びそのOSD Nameを通知されている。したがってＣＰＵ２５は、論理アドレス［１］を有する機器の機器名（デバイスタイプ）として「レコーダー１」を表示させ、入力端子名として「ＨＤＭＩ２（ＨＤＭＩ入力端子８ｂ）」を表示させ、さらにそのモデル名を表示させる。
【００９６】
これにより、複数のデバイスタイプを有する機器の各デバイスタイプを１つのみ表示させることで、ユーザに分かりやすさを提供することができる。
【００９７】
図１１は、ＴＶ１のＨＤＭＩ入力端子８ａ及び８ｂから全ての機器が外された状態を示した図である。同図の場合における上記接続機器メニュー画面１００の更新処理について以下説明する。
【００９８】
図１２は、ＴＶ１から機器が外された場合における接続機器メニュー画面１００の更新処理の流れを示した図である。  
同図に示すように、ＨＤＭＩ受信部２３は、論理アドレス［４］及び［５］を有するＤＶＤ／ＡＶシステム３及び論理アドレス［１］を有するＰＶＲ５へ、それぞれ上記＜Polling Message＞を送信する（ステップ１２１）。そして、ＣＰＵ２５は、当該＜Polling Message＞に対してＡＣＫが返答されたか否かを判断する（ステップ１２２）。
【００９９】
ＣＰＵ２５は、各機器からＡＣＫが返答された場合（Ｙｅｓ）には、上記接続機器メニュー画面１００の表示をそのまま維持する（ステップ１２３）。ＣＰＵ２５は、何れかの機器からＡＣＫが返答されない場合（Ｎｏ）には、接続機器メニュー画面１００のうち、ＡＣＫが返答されなかった機器の表示項目を消去して、接続機器メニュー画面１００を更新する（ステップ１２４）。
【０１００】
図１３は、ＴＶ１から機器が外された場合の接続機器メニュー画面１００の表示例を示した図である。同図は、上記ＤＶＤ／ＡＶシステム３及びＰＶＲ５のいずれもＴＶ１から外された場合の表示例である。同図に示すように、これまで表示されていた各項目は全て消去されている。これにより、ユーザは、現在ＴＶ１のＨＤＭＩ入力端子８ａ及び８ｂに何も接続されていないことをリアルタイムに知ることができる。
【０１０１】
図１４は、図７及び図１１の接続状態を経て、ＤＶＤ／ＡＶシステム３がＴＶ１のＨＤＭＩ入力端子８ｂ（ＨＤＭＩ２）に繋ぎ替えられた状態を示した図である。以下、この場合におけるＤＶＤ／ＡＶシステム３の動作について説明する。
【０１０２】
図１５は、ＤＶＤ／ＡＶシステム３がＴＶ１のＨＤＭＩ入力端子８ｂに繋ぎ替えられた場合の、ＤＶＤ／ＡＶシステム３の動作の流れを示したフローチャートである。また図１６は、この場合における各機器のＣＥＣメッセージのやり取りを示したシーケンス図である。
【０１０３】
ＨＤＭＩ送信部４６は、このＨＰＤのＬからＨへの変化の検知をトリガにして、ＴＶ１のEDIDROM６０から、ＤＤＣライン１１０を介してＥＤＩＤを再度読み出し、ＴＶ１のＨＤＭＩ入力端子８ｂ（ＨＤＭＩ２）に割り当てられた物理アドレス［2.0.0.0］を取得する（図１５のステップ１５２、図１６のステップ１６１）。当該物理アドレスは、例えばフラッシュメモリ４２等に保持される。すなわち、上記図７の接続状態においてフラッシュメモリ４２に記憶されていた物理アドレス［1.0.0.0］が、［2.0.0.0］へ更新されて新たに保持されることとなる。
【０１０４】
続いて、ＨＤＭＩ送信部４６は、論理アドレス［４］宛へ＜Polling Message＞を２回送信する（図１６のステップ１６２、ステップ１６３）。ＨＤＭＩ送信部４６は、この＜Polling Message＞に対してＡＣＫが返答されないことを確認すると、自身［Playback Device］としての論理アドレスを［４］に確定する（ステップ１６４）。
【０１０５】
同様に、ＨＤＭＩ送信部４６は、論理アドレス［５］宛へ＜Polling Message＞を２回送信する（図１６のステップ１６５、ステップ１６６）。ＨＤＭＩ送信部４６は、この＜Polling Message＞に対してＡＣＫが返答されないことを確認すると、自身の［Audio System］としての論理アドレスを［５］に確定する（ステップ１６７）。
【０１０６】
そして、ＨＤＭＩ送信部４６は、論理アドレス［４］の更新された物理アドレス［2.0.0.0］及びデバイスタイプ［Playback Device］と、論理アドレス［５］の更新された物理アドレス［2.0.0.0］及びデバイスタイプ［Audio System］を、それぞれブロードキャストにより通知する（図１５のステップ１５３、図１６のステップ１６８、１６９）。また、図示しないが、ＨＤＭＩ送信部４６は、その後、例えばＴＶ１の要求に応じて、または自発的に、OSD NameもＴＶ１へ通知する。
【０１０７】
以上の処理により、ＴＶ１は、ＤＶＤ／ＡＶシステム３がＴＶ１のＨＤＭＩ入力端子８ｂ（ＨＤＭＩ２）へ繋ぎ替えられた場合に、ＤＶＤ／ＡＶシステム３の新たな物理アドレス、デバイスタイプ及びOSD Nameの各情報を取得することができる。ＴＶ１は、この新たに取得した情報を基に、上記接続機器メニュー画面１００を更新することができる。
【０１０８】
図１７は、ＤＶＤ／ＡＶシステム３がＴＶ１のＨＤＭＩ入力端子８ｂ（ＨＤＭＩ２）へ繋ぎ替えられた場合の接続機器メニュー画面１００の表示例を示した図である。  
同図に示すように、上記図１０と比較して、ＤＶＤ／ＡＶシステム３（プレイヤー１）の表示項目のうち、入力端子名が、「ＨＤＭＩ２」へ更新されている。これにより、ＴＶ１は、ＤＶＤ／ＡＶシステム３がＨＤＭＩ入力端子８ｂ（ＨＤＭＩ２）へ繋ぎ替えられたことをユーザに即座に知らせることができ、ユーザの利便性を向上させることができる。
【０１０９】
本発明は上述の実施形態にのみ限定されるものではなく、本発明の要旨を逸脱しない範囲内において種々変更を加え得ることは勿論である。
【０１１０】
上述の実施形態においては、ＤＶＤ／ＡＶシステム３のように、複数のデバイスタイプを有する機器については、ＴＶ１は、上記優先順位情報を基に、最上位の１つのデバイスタイプのみを接続機器メニュー画面１００に表示していた。しかしながら、ＴＶ１は、複数のデバイスタイプを全て接続機器メニュー画面１００に表示しても構わない。
【０１１１】
図１８はこの場合の接続機器メニュー画面１００の表示例を示した図である。同図においては、上記図７の接続状態における表示例を示す。同図に示すように、ＤＶＤ／ＡＶシステム３については、「プレイヤー１」と「オーディオシステム」という２つのデバイスタイプが例えば「／」で区切られて表示されている。このように全てのデバイスタイプを表示させることで、ＴＶ１は、各接続機器の全ての機能をユーザに報知することができる。
【０１１２】
上述の実施形態においては、図８で示したように、ＴＶ１の各接続機器は、ＴＶ１から送信された＜Give Physical Address＞に応じて、＜Report Physical Address＞を送信していた。しかしながら、各ソース機器は、物理アドレスを取得した場合、＜Give Physical Address＞を受信しなくても、自発的に＜Report Physical Address＞を送信しても構わない。
【０１１３】
上述の実施形態においては、ＴＶ１は、接続機器メニュー画面１００に、機器名、入力端子名、モデル名の各情報を表示していた。しかしながら、この表示項目は上述の３つの項目に限られるものではない。例えば、ＴＶ１は、「プレイヤー」、「レコーダー」等、機器名を大まかに区別する情報のみならず、例えばＤＶＤプレイヤー、ＨＤＤレコーダー等、各機器種別をより詳細に示した項目を表示しても構わない。
【０１１４】
上述の実施形態においては、伝送システム内のシンク機器としてＴＶ、ソース機器（リピータ機器）としてＤＶＤプレイヤー、ＤＶＤ／ＡＶシステム、ＳＴＢ、ＰＶＲ、ＤＶＨＳプレイヤーの各機器を示した。しかし、本発明は、例えばチューナやカムコーダ等、その他の電子機器にももちろん適用可能である。
【図面の簡単な説明】
【０１１５】
【図１】本発明の一実施形態における伝送システムの構成を示すブロック図である。
【図２】本発明の一実施形態におけるＴＶの構成を示したブロック図である。
【図３】本発明の一実施形態におけるＤＶＤ／ＡＶシステムの構成を示したブロック図である。
【図４】本発明の一実施形態におけるＤＶＤ／ＡＶシステムのＨＤＭＩ送信部及びＴＶのＨＤＭＩ受信部の電気的構成を示した図である。
【図５】本発明の一実施形態における伝送システム内の各機器に物理アドレスが割り当てられる様子を示した図である。
【図６】ＣＥＣプロトコルにおける論理アドレス及びデバイスタイプの定義を示すテーブルを示した図である。
【図７】ＴＶと他の機器との他の接続例を示した図である。
【図８】本発明の一実施形態において、ＴＶが各機器の接続状態を認識する際のＣＥＣメッセージのやり取りの流れを示したシーケンス図である。
【図９】ＴＶによる、デバイスタイプの優先順位に基づく接続機器メニュー画面の表示処理の流れを示したフローチャートである。
【図１０】図７の接続例において表示される接続機器メニュー画面の表示例を示した図である。
【図１１】本発明の一実施形態において、ＴＶのＨＤＭＩ入力端子から全ての機器が外された状態を示した図である。
【図１２】本発明の一実施形態において、ＴＶから機器が外された場合における接続機器メニュー画面の更新処理の流れを示した図である。
【図１３】本発明の一実施形態において、ＴＶから機器が外された場合の接続機器メニュー画面の表示例を示した図である。
【図１４】本発明の一実施形態において、ＤＶＤ／ＡＶシステムがＴＶの他方のＨＤＭＩ入力端子に繋ぎ替えられた状態を示した図である。
【図１５】本発明の一実施形態において、ＤＶＤ／ＡＶシステムがＴＶの他方ＨＤＭＩ入力端子に繋ぎ替えられた場合の、ＤＶＤ／ＡＶシステムの動作の流れを示したフローチャートである。
【図１６】本発明の一実施形態において、ＤＶＤ／ＡＶシステムがＴＶの他方ＨＤＭＩ入力端子に繋ぎ替えられた場合の、各機器のＣＥＣメッセージのやり取りを示したシーケンス図である。
【図１７】本発明の一実施形態において、ＤＶＤ／ＡＶシステムがＴＶの他方のＨＤＭＩ入力端子へ繋ぎ替えられた場合の接続機器メニュー画面の表示例を示した図である。
【図１８】本発明の他の実施形態における接続機器メニュー画面の表示例を示した図である。
【符号の説明】
【０１１６】
１…テレビジョン装置（ＴＶ）
２…ＤＶＤプレイヤー
３…ＤＶＤ／ＡＶシステム
４…ＳＴＢ
５…ＰＶＲ
６…デジタルＶＨＳプレイヤー
７…ＨＤＭＩケーブル
８ａ、８ｂ、１０ａ、１０ｂ…ＨＤＭＩ入力端子
９…ＨＤＭＩ出力端子
１５…映像信号処理回路
１８…表示パネル
２３、４４…ＨＤＭＩ受信部
２５、４１…ＣＰＵ
２６、４２…フラッシュメモリ
４６…ＨＤＭＩ送信部
１００…接続機器メニュー画面
１１０…ＤＤＣライン
１２０…ＣＥＣライン
１３０…ＨＰＤライン
【図１】
0004605231.tif 000002
【図２】
0004605231.tif 000003
【図３】
0004605231.tif 000004
【図４】
0004605231.tif 000005
【図５】
0004605231.tif 000006
【図６】
0004605231.tif 000007
【図７】
0004605231.tif 000008
【図８】
0004605231.tif 000009
【図９】
0004605231.tif 000010
【図１０】
0004605231.tif 000011
【図１１】
0004605231.tif 000012
【図１２】
0004605231.tif 000013
【図１３】
0004605231.tif 000014
【図１４】
0004605231.tif 000015
【図１５】
0004605231.tif 000016
【図１６】
0004605231.tif 000017
【図１７】
0004605231.tif 000018
【図１８】
0004605231.tif 000019